(57)【要約】【課題】  本発明は、広いリスニングポイントを確保することができ、広い範囲の視聴者に臨場感のあふれる音響効果を与えることができるセンタスピーカ装置を提供することを課題とする。【解決手段】  開成状態においては、スピーカユニット５およびスピーカユニット６のそれぞれのスピーカ軸Ｓが拡がると共に、左側キャビネット２と右側キャビネット３との角度αがスピーカユニット５、６の指向性の角度βよりも狭く設定されており、スピーカユニット５の指向性５１と、スピーカユニット６の指向性６１との一部分のみが重なる。従って、互いにほとんど重なっていないスピーカユニット５の指向性５１とスピーカユニット６の指向性６１とがリスニングポイントになり、広いリスニングポイントを確保することができる。【選択図】        図５
2005303852.tif 000002
【特許請求の範囲】
【請求項１】
アンプから入力されたセンタ信号を再生するセンタスピーカ装置であって、
前面にスピーカユニットが取り付けられた第１キャビネットと、
前面に前記スピーカユニットが取り付けられ、前記第１キャビネットと略同一の形状で、且つ略同一の寸法の第２キャビネットと、
前記第１キャビネットと前記第２キャビネットとを回動可能に接続するヒンジ手段とを具備し、
前記第１キャビネットの前面と前記第２キャビネットの前面とが同一の方向に向いている閉成状態と、前記第１キャビネットの前面と前記第２キャビネットの前面とが異なる方向に向いている開成状態との２通りのポジションが選択できるように構成されていることを特徴とするセンタスピーカ装置。
【請求項２】
前記開成状態を検出する開成状態検出手段と、
該開成状態検出手段による検出結果を前記アンプに通知するための状態検出用端子とを具備することを特徴とする請求項１記載のセンタスピーカ装置。
【請求項３】
前記開成状態における前記第１キャビネットと前記第２キャビネットとの角度が前記スピーカユニットの指向性の角度よりも狭く設定されていることを特徴とする請求項１又は２記載のセンタスピーカ装置。
【請求項４】
センタ信号を出力するアンプと、該アンプから入力された前記センタ信号を再生するセンタスピーカ装置とからなるセンタスピーカシステムであって、
前記センタスピーカ装置は、前面にスピーカユニットが取り付けられた第１キャビネットと、
前面に前記スピーカユニットが取り付けられ、前記第１キャビネットと略同一の形状で、且つ略同一の寸法の第２キャビネットと、
前記第１キャビネットの前面と前記第２キャビネットの前面とが同一の方向に向いている閉成状態と、前記第１キャビネットの前面と前記第２キャビネットの前面とが異なる方向に向いている開成状態との２通りのポジションが選択できるように前記第１キャビネットと前記第２キャビネットとを回動可能に接続するヒンジ手段と、
前記開成状態を検出する開成状態検出手段とを具備し、
前記アンプは、前記開成状態検出手段によって前記開成状態が検出された場合には、前記センタ信号の音量レベルを上げるセンタ音量調整手段を具備することを特徴とするセンタスピーカシステム。
【発明の詳細な説明】
【技術分野】
【０００１】
本発明は、ボーカルやセリフ等の定位を良好にするセンタスピーカ装置に関し、特に広いリスニングポイントを確保することができるセンタスピーカ装置に関する。
【背景技術】
【０００２】
ドルビーデジタルの５．１チャンネル方式によるホームシアターシステムでは、液晶ディスプレイ等の表示装置の両側に、左右両チャンネル用のフロントスピーカが配置され、視聴者の両側近傍にサラウンドの左右両チャンネル用のリアスピーカが配置され、表示装置側に、重低音を再生するためのサブウーファが設置され、さらに、ボーカルやセリフ等の定位を良好にするセンタスピーカが表示装置側に配置される。ボーカルやセリフ等の映像の音声が映像（表示装置）から視聴者に伝わるように、映像の音声は、表示装置側に配置されたセンタスピーカによって主に再生され、視聴者は、臨場感のあふれる音響効果を楽しむことが可能になる。
【０００３】
このようなホームシアターシステムにおいては、少数の視聴者がリスニングルームで試聴することが前提となっており、センタスピーカの正面がリスニングポイントになるように、各スピーカが配置される（例えば、特許文献１参照）。
【０００４】
しかしながら、近年、ホームシアターシステムの低価格化が進み、家庭のリビングに手軽に設置できるようになっており、複数の視聴者がセンタスピーカの正面のみでなく、広い範囲（様々角度）で試聴することが想定される。このように広い範囲で試聴する場合には、視聴者がセンタスピーカの指向性（指向範囲角度）の外側に位置することがあり、センタスピーカの指向性（指向範囲角度）外で試聴した場合には、センタスピーカから再生される映像の音声の音圧レベルが減少してしまい、臨場感のあふれる音響効果を得ることができないという問題点があった。
【特許文献１】特開２００３−１２５４８３号公報
【発明の開示】
【発明が解決しようとする課題】
【０００５】
本発明は斯かる問題点を鑑みてなされたものであり、その目的とするところは、広いリスニングポイントを確保することができ、広い範囲の視聴者に臨場感のあふれる音響効果を与えることができるセンタスピーカ装置を提供する点にある。
【課題を解決するための手段】
【０００６】
本発明は上記課題を解決すべく、以下に掲げる構成とした。
本発明のセンタスピーカ装置は、アンプから入力されたセンタ信号を再生するセンタスピーカ装置であって、前面にスピーカユニットが取り付けられた第１キャビネットと、前面に前記スピーカユニットが取り付けられ、前記第１キャビネットと略同一の形状で、且つ略同一の寸法の第２キャビネットと、前記第１キャビネットと前記第２キャビネットとを回動可能に接続するヒンジ手段とを具備し、前記第１キャビネットの前面と前記第２キャビネットの前面とが同一の方向に向いている閉成状態と、前記第１キャビネットの前面と前記第２キャビネットの前面とが異なる方向に向いている開成状態との２通りのポジションが選択できるように構成されていることを特徴とする。
【０００７】
さらに、本発明のセンタスピーカ装置は、前記開成状態を検出する開成状態検出手段と、該開成状態検出手段による検出結果を前記アンプに通知するための状態検出用端子とを具備することを特徴とする。
【０００８】
さらに、本発明のセンタスピーカ装置は、前記開成状態における前記第１キャビネットと前記第２キャビネットとの角度が前記スピーカユニットの指向性の角度よりも狭く設定されていることを特徴とする。
【０００９】
また、本発明のセンタスピーカシステムは、センタ信号を出力するアンプと、該アンプから入力された前記センタ信号を再生するセンタスピーカ装置とからなるセンタスピーカシステムであって、前記センタスピーカ装置は、前面にスピーカユニットが取り付けられた第１キャビネットと、前面に前記スピーカユニットが取り付けられ、前記第１キャビネットと略同一の形状で、且つ略同一の寸法の第２キャビネットと、前記第１キャビネットの前面と前記第２キャビネットの前面とが同一の方向に向いている閉成状態と、前記第１キャビネットの前面と前記第２キャビネットの前面とが異なる方向に向いている開成状態との２通りのポジションが選択できるように前記第１キャビネットと前記第２キャビネットとを回動可能に接続するヒンジ手段と、前記開成状態を検出する開成状態検出手段とを具備し、前記アンプは、前記開成状態検出手段によって前記開成状態が検出された場合には、前記センタ信号の音量レベルを上げるセンタ音量調整手段を具備することを特徴とする。
【発明の効果】
【００１０】
本発明のセンタスピーカ装置は、第１キャビネットの前面と第２キャビネットの前面とが同一の方向に向いている閉成状態と、第１キャビネットの前面と第２キャビネットの前面とが異なる方向に向いている開成状態との２通りのポジションが選択できるように構成されているため、簡単な操作で指向性の範囲を広げることができるため、広いリスニングポイントを確保することができ、広い範囲の視聴者に臨場感のあふれる音響効果を与えることができるという効果を奏する。
【００１１】
さらに、本発明のセンタスピーカ装置は、開成状態検出手段によって開成状態を検出できるように構成することにより、センタ信号を出力するアンプにおいて、閉成状態から開成状態に移行した際に、音量レベルを上げるように制御することができ、開成状態における音圧レベルが低下することを防止することができるという効果を奏する。
【発明を実施するための最良の形態】
【００１２】
以下、本発明の実施の形態を図面に基づいて詳細に説明する。
【００１３】
図１は、本発明に係るセンタスピーカ装置の実施の形態の構成を示す外観斜視図であり、図２は、図１に示すセンタスピーカ装置の開成状態の構成を示す外観斜視図であり、図３は、本発明に係るセンタスピーカ装置の実施の形態の構成を示すブロック図であり、図４は、図１に示すセンタスピーカ装置の閉成状態の指向性を示す上面図であり、図５は、図１に示すセンタスピーカ装置の開成状態の指向性を示す上面図である。
【００１４】
本実施の形態のセンタスピーカ装置１は、図１を参照すると、左側キャビネット２と、左側キャビネット２と略同一の形状で、且つ略同一の寸法の右側キャビネット３とからなり、左側キャビネット２の背面側と右側キャビネット３の背面側とがヒンジ部４によって接続され、ヒンジ部４を軸とする回動によって、左側キャビネット２の前面と右側キャビネット３の前面とが同一の方向に向いている図１に示す閉成状態と、左側キャビネット２の前面と右側キャビネット３の前面とが異なる方向に向いている図２に示す開成状態との２通りのポジションが選択できるように構成されている。
【００１５】
左側キャビネット２の前面には、スピーカユニット５が、右側キャビネット３の前面には、スピーカユニット５と同一性能を有するスピーカユニット６がそれぞれ取り付けられており、スピーカユニット５およびスピーカユニット６は、図３を参照すると、入力端子８、９に入力されたアンプ１１からのセンタ信号によって同位相で駆動される。
【００１６】
右側キャビネット３の左側キャビネット２側の側面には、センタスピーカ装置１が開成状態であることを検出するための開成状態検出スイッチ７が設けられている。開成状態検出スイッチ７としては、例えば、閉成状態から開成状態への移行に際して、接点が開成されるように構成されたプッシュスイッチを用いることができ、図３を参照すると、状態検出用端子１０に信号線を接続することによって、外部装置（アンプ１１）が開成状態に移行したことを認識できるようになっている。
【００１７】
図１に示す閉成状態においては、図４に示すように、スピーカユニット５およびスピーカユニット６のそれぞれのスピーカ軸Ｓが平行であり、スピーカユニット５の指向性（指向範囲角度）５１と、スピーカユニット６の指向性（指向範囲角度）６１との大部分が重なり、スピーカユニット５の指向性５１と、スピーカユニット６の指向性６１とが重なっている部分がリスニングポイントになる。なお、本明細書では、センタスピーカ装置１で再生する音声の平均周波数の音圧レベルがスピーカ軸Ｓに対して２分の１（−６ｄＢ）減少するポイント間の相対的な角度βをスピーカの指向性として定義するものとする。
【００１８】
図２に示す開成状態においては、図５に示すように、スピーカユニット５およびスピーカユニット６のそれぞれのスピーカ軸Ｓが拡がると共に、左側キャビネット２と右側キャビネット３との角度αがスピーカユニット５、６の指向性の角度βよりも狭く設定されており、スピーカユニット５の指向性５１と、スピーカユニット６の指向性６１との一部分のみが重なる。従って、互いにほとんど重なっていないスピーカユニット５の指向性５１とスピーカユニット６の指向性６１とがリスニングポイントになり、広いリスニングポイントを確保することができる。
【００１９】
また、閉成状態では、スピーカユニット５の指向性５１とスピーカユニット６の指向性６１とが重なっている部分をリスニングポイントとするのに対し、閉成状態では、互いにほとんど重なっていないスピーカユニット５の指向性５１とスピーカユニット６の指向性６１とをリスニングポイントとしているため、開成状態においては、視聴者は、スピーカユニット５もしくはスピーカユニット６のいずれかで再生された映像の音声を主に試聴することになり、閉成状態において正面で試聴する場合に比べて、音圧レベルが低下することになる。従って、アンプ１１にセンタ信号の音量レベルを制御するセンタ音量調整部１２を設けると共に、アンプ１１と状態検出用端子１０とを信号線で接続して、センタスピーカ装置１が開成状態に移行したことをアンプ１１が認識できるように構成し、センタスピーカ装置１が開成状態に移行したことを認識した場合には、センタ音量調整部１２によってセンタ信号の音量レベルを上げるように制御すると良い。センタ音量調整部１２によってセンタ信号の音量レベルをどの程度上げるかは、予め設定するようにしても良く、視聴者が設定できるようにしても良い。
【００２０】
以上説明したように、本実施の形態によれば、左側キャビネット２の前面と右側キャビネット３の前面とが同一の方向に向いている閉成状態と、左側キャビネット２の前面と右側キャビネット３の前面とが異なる方向に向いている開成状態との２通りのポジションが選択できるように構成されているため、簡単な操作で指向性の範囲を広げることができるため、広いリスニングポイントを確保することができ、広い範囲の視聴者に臨場感のあふれる音響効果を与えることができるという効果を奏する。
【００２１】
さらに、本実施の形態によれば、開成状態検出スイッチ７によって開成状態を検出できるように構成することにより、センタ信号を出力するアンプ１１において、閉成状態から開成状態に移行した際に、音量レベルを上げるように制御することができ、開成状態における音圧レベルが低下することを防止することができるという効果を奏する。
【００２２】
なお、本実施の形態では、２個のキャビネット（左側キャビネット２および右側キャビネット３）をヒンジ部４で回動可能に接続するように構成したが、接続するキャビネットの数は、２個に限られるものではなく、３個以上であっても良い。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係るセンタスピーカ装置の実施の形態の構成を示す外観斜視図である。
【図２】図１に示すセンタスピーカ装置の開成状態の構成を示す外観斜視図である。
【図３】本発明に係るセンタスピーカ装置の実施の形態の構成を示すブロック図である。
【図４】図１に示すセンタスピーカ装置の閉成状態の指向性を示す上面図である。
【図５】図１に示すセンタスピーカ装置の開成状態の指向性を示す上面図である。
【符号の説明】
【００２５】
１  センタスピーカ装置
２  左側キャビネット
３  右側キャビネット
４  ヒンジ部
５、６  スピーカユニット
７  開成状態検出スイッチ（開成状態検出手段）
８、９  入力端子
１０  状態検出用端子
１１  アンプ
１２  センタ音量調整部（センタ音量調整手段）
５１、６１  指向性
【図１】
2005303852.tif 000003
【図２】
2005303852.tif 000004
【図３】
2005303852.tif 000005
【図４】
2005303852.tif 000006
【図５】
2005303852.tif 000007